(57)【特許請求の範囲】
【請求項１】
裏面に面状発熱体を固定する瓦であって、該瓦の上部に仮止用長孔を開口し、該長孔は屋根上に仮止めした状態で該瓦の下部を持上げて裏面に面状発熱体を取付けることができる程度に融通性を持たせた融雪屋根用瓦。
【請求項２】
瓦の上部に、該瓦の下部を持ち上げて裏面に面状発熱体を固定することができる程度に屋根上の固定部材との間に融通性を持たせた長孔を開口し、該長孔に固定部材を挿通して複数枚の瓦を屋根上に仮止め状態とし、更に該瓦の下部を屋根面より離反させて支持部材で開口状態に保持し、該開口状態において帯状の面状発熱体を前記複数枚の瓦の裏面の所定位置に次々と保持させ、電気配線を行った後に、該瓦を所定の状態に固定する融雪屋根用瓦の敷設方法。
【発明の詳細な説明】
【０００１】
【発明の属する技術分野】
本発明は、屋根瓦の裏面に、この屋根瓦とは別体のシート状の発熱体を配置した融雪屋根における屋根瓦の裏面の所定の位置に面状発熱体を効率的に配置して屋根上に敷設できる瓦とその敷設方法に関する。
【０００２】
【従来の技術】
積雪の多い地方では屋根にかなりの厚さで積雪することが多く、この積雪量が許容された範囲を越えると屋根に過大な重量を負担させて家屋に歪みを生じさせたり、突然に落下する危険性がある。家屋の歪みは特に古い家屋の寿命を縮めたり、建具の円滑な作動を困難にし、また、突然落下する雪は大量であることから軒下を通行中の人や色々な物を破損するという事故を発生する。
【０００３】
そこで通常はこの積雪がある範囲を越えないように、人手によって雪降ろし作業をしているが、この作業は居住者の老齢化等から実質的に困難となっている。このような欠点を防止するために屋根瓦を面状発熱体で加熱して融雪する融雪装置が提案されている。
【０００４】
【発明が解決しようとする課題】
粘土瓦の内部に面状発熱体を内蔵させたものとして実開昭５４−７２８１２号公報が提案されているが、この粘土瓦は屋根瓦の形をした外殻の内面に面状発熱体を密着させ、その面状発熱体を覆うように断熱材を設け、更に外殻の屋根面側に露出している面状発熱体をパッキングで覆って防水したものである。
【０００５】
また、特公平６−７４６７３号公報によって野路板上に断熱材シートを敷き、瓦が重なる部分に縦桟を配置してこの縦桟で前記瓦の重なる部分の下部に縦桟等の棒状の物を配置し、その部分の面状発熱体を局部的に凸状に持ち上げながら瓦を敷いて面状発熱体の熱を瓦に伝達するようにした融雪装置が提案されている。
前者の瓦は、発熱体を個々の瓦に内蔵させた状態で製造しなければならず、著しくコスト高となる上に、個々の瓦を配線しなければならないために配線が煩雑であり、更に構造的に漏電しやすく、耐久性にも劣るという問題があり、実用性に乏しいものである。
【０００６】
また、後者の融雪装置は、普通の瓦を使用し、その裏面に帯状に形成された面状発熱体を敷くものであるために、通常の瓦葺き作業によって面状発熱体を配置することができる。更に複数枚の瓦を加熱できる長尺の面状発熱体を使用することができることから、配線も比較的単純化でき、安全である上に製作コストと施行コストを低下させることが可能である。
【０００７】
しかし、中央部が下がって全体として凹形に反った瓦の場合、その裏面に配置される面状発熱体との間に必然的に空間が形成されることから熱伝導が悪く、電熱の利用効率が低下するという問題がある。そこで瓦の瓦の重なる部分に縦桟を配置して面状発熱体を波形に賦形しなければならず、しかもこの縦桟は瓦の重なる部分に丁度配置することができない部分も発生するし、瓦が移動すると重なる部分と縦桟との位置がずれることになる。
【０００８】
更に、野路板面上に断熱材を敷設し、その上に面状発熱体を敷設し、更にその上に瓦を敷設する多段階の作業が必要である上に、面状発熱体が経時的に次第に変形していくので、瓦に密着しなくなるという問題がある。
このような各種の問題を解消するために、瓦の裏面の上下側に、断面Ｌ形等の係止部材をそれぞれ突出させておき、この係止部材の間に面状発熱体の上下両縁を嵌合保持させるように配置する方法が検討されている。しかし、面状発熱体は合成樹脂シートを使用した柔軟なシート状物であることから、例えば１枚の瓦の係止部材に面状発熱体を保持させ、次の瓦の係止部材に面状発熱体の次の部位を保持させる方法を繰返して長尺の面状発熱体を配置する作業が必要である。
【０００９】
この融雪屋根の組立作業には、１枚の瓦の下側を持上げ、面状発熱体の一部を係止部材に保持させた上でこの瓦を野路板上に下ろし、次いで隣の瓦の下側を持上げて同様な面状発熱体の取付け作業を行なう、煩雑な作業が必要である上に、瓦の下側を持上げて面状発熱体を係止部材に保持させた後にこの瓦を所定の位置に下ろす作業の間に、既に瓦に固定してあった面状発熱体がその瓦の係止部材より抜け出してしまうようなことがあり、この面状発熱体の配置作業が極めて煩雑で、施行作業を円滑に行うことが困難であり、また、複数の作業者による敷設作業が必要であった。
【００１０】
本発明は、前記従来技術の欠点を解消するために、融雪屋根における瓦の裏面に面状発熱体等を効率良く、正確に配置する方法を提供することを目的とするものである。
【００１１】
【課題を解決する手段】
前記目的を達成するための本発明に係る融雪屋根用瓦は、裏面に面状発熱体を固定する瓦であって、該瓦の上部に仮止用長孔を開口し、該長孔は屋根上に仮止めした状態で瓦の下部を持上げて裏面に面状発熱体を取付けることができる程度に融通性を持たせて構成されている。
【００１２】
また、本発明に係る屋根瓦の敷設方法は、瓦の上部に、該瓦の下部を持ち上げて裏面に面状発熱体を固定することができる程度に屋根上の固定部材との間に融通性を持たせた長孔を開口し、該長孔に固定部材を挿通して複数枚の瓦を屋根上に仮止め状態とし、更に該瓦の下部を屋根面より離反させた状態で支持部材によって保持し、該開口状態において帯状の面状発熱体を前記複数枚の瓦の裏面の所定位置に次々と保持させ、次に電気配線を行なった後に、該瓦を所定の状態に固定するものである。
【００１３】
本発明に係る融雪屋根用瓦は、粘土瓦、合成樹脂で成型した瓦、更にアルミダイキヤストによる金属瓦の何れでも良く、その裏面に面状発熱体を沿わせて保持あるいは固定することができるものである。
瓦の裏面の上下には係止部材を設け、この係止部材によって面状発熱体の両縁部を保持するものであるが、この係止部材は瓦の裏面に一体的に形成されているものが好ましいが、瓦とは別体の金属板状のもの、あるいは合成樹脂成型品を使用してこれを瓦の裏面に形成した凹溝に差し込んだり、ビス止めしたり、あるいは接着剤で接着する方法によって固定したものであっても良い。
【００１４】
瓦の上部中央に設ける長孔は、横桟上に瓦の上部を釘によって仮止めした際にこの瓦の下部が屋根面に対して離れるように持ち上げ、好ましくは瓦の裏面を覗いて作業ができる程度に仮止め点を支点として回動できるように融通性を持たせたものである。
この長孔は瓦が左右方向に移動しないように保持するが、前記のように下部を大きく持ち上げることができるように融通性を持たせることが必要である。従って、瓦の長手方向に長い孔で、この瓦を回動させた際に、この長孔が引掛からないように上方に拡開するスリバチ状の傾斜面に形成しておくのが良い。
【００１５】
本発明に係る融雪屋根を施行するためには、屋根の野路板面上に防水シートを敷設し、更にその上に断熱シートを敷設した上に瓦葺きする方法と、野路板上に敷設した防水シート上に横桟を所定の間隔で固定し、更にこの横桟の間に断熱材シートを敷設する方法等、各種の方法があるが、本発明はこの施行方法は何れを採用しても良い。
【００１６】
【発明の実施の形態】
次に図面を参照して本発明の実施の形態を説明する。
図１〜図３は融雪屋根用瓦を示しており、瓦１の上部の中央部に長孔２を開口し、その両側に釘等の固定部材を挿通する孔３，３ａを開口している。そして裏面の上下に係止部材４を設けている。この係止部材４は図２に示すように断面Ｌ形をしており、これによって面状発熱体の両縁部を挟持して支持するようになっている。
【００１７】
前記長孔２は図４に示すように瓦１の巾方向に巾ｄを、更に長手方向に長さＬをそれぞれ持って開口しており、図５及び図４に示すように上方に開口した傾斜面Ｔに傾斜されている。前記巾ｄは、釘の如き固定部材５に対して余裕を持つ程度のものであれば良い。また、長孔２の長さＬは後述するように瓦１を屋根上に仮止めした状態で瓦１の下部を持上げた時に、前記固定部材５がその回動を邪魔しない程度の範囲とする。
【００１８】
前記固定部材５を横桟８上に打込む際には、この固定部材５にゴム製あるいは合成樹脂製等のパッキング材６の中央の孔５ａを貫通させた状態で長孔２内にこの固定部材５を打込み、瓦１を仮止めした状態ではこのパッキング材６を図４に示すように横に向けて瓦１の上下方向の回動範囲を大きくしておくと良い。
図７に示すように屋根７上に瓦１を固定する際は、前記のように瓦１にパッキング材６を取付けた固定部材５を通した上で、これを長孔２に挿通して横桟８上に打込んで瓦１を仮止めする。
【００１９】
次に、面状発熱体１０を瓦１の裏面に保持される作業をする際は、図８に鎖線で示したように瓦１の前部に位置する固定部材５の部分を支点として後部１ａを上げて下面に空間部Ｋを形成する。そして図９に示すように支持部材１１を横桟８の部分に配置して瓦１を屋根７上に斜めに支持させる。この状態に複数枚の瓦１を保持させて瓦１の裏面に空間部Ｋを形成し、横方向から面状発熱体１０を挿入して係止部材４にその上下両縁を支持させる。
【００２０】
なお、この作業の前に屋根７の上面７ａ上に、図１０に示すように合成樹脂発泡体等の断熱シート１２や防水シート等の必要な部材を配置しておくのが良い。前記のようにして空間部Ｋを形成した後に面状発熱体１０を瓦１の裏面に係止部材４を介して取付けたならば、配線等の電気的な作業を行なう。
その後、支持部材１１を除去して瓦１を屋根面７ａ上の所定の位置に保持させる。この状態では瓦１の下側が下側列１Ａの瓦１の上部に配置され、上部が横桟８に引掛けられた状態になっている。次に固定部材用孔３，３ａに釘等の固定部材５を通して横桟８上に瓦１の上部を固定する。図１０に示すように下側の瓦列１Ａが完成したならば、その上部に上側の瓦列１Ｂを次々に配置し、以下同様な作業で瓦葺きを行なって融雪屋根Ｒを完成する。
【００２１】
瓦１の裏面に面状発熱体１０を固定する手段には各種のものがある。図１１は瓦１の裏面に面状発熱体１０と断熱シート１３を積層して配置し、更に固定板１５を係止部材４に係止させたものであり、面状発熱体１０は瓦１の裏面に確実に配置される。
図１２（Ａ）〜（Ｅ）は各種の固定板１５を示すもので、図（Ａ）に示すように木板や合成樹脂板、場合によっては金属板で製作したものを断熱シート１３に当てがった状態で両端を係止部材４で固定させたものである。
【００２２】
図（Ｂ）は両端部に係止部材４を嵌合するためのスリット１５ａを形成したもの、図（Ｃ）は係止部材４を挿入するカギ部１５ｂを形成したもの、図（Ｄ）は端部に溝部１５ｃを形成したもので、この場合の係止部材４は薄い金属板のように折曲げが自由なものを使用し、面状発熱体１０の取付け操作の際に前記係止部材４を折曲げてこの固定板１５で面状発熱体１０を瓦１の裏面に確実に固定させるものである。
【００２３】
また、図（E）は固定板１５自体を合成樹脂板のような柔軟性のある材料を使用し、この固定板１５を瓦１側の係止部材４に合わせて曲げて所定の位置に固定させたものである。
更に別の係止部材４としては、図１３に示すように瓦１の裏面に丸棒状の係止部材４を突出し、その先端部をコケシの頭部１５ｄのように形成したもので、図１４に示す固定板１５に設けた、周囲にスリットを放射状に形成した孔１５ｄを、この頭部４ｂに押圧して挿入し、あたかもホックを嵌合するように固定する構造を採用することもできる。
【００２４】
なお、この固定板１５の材料としては例えばアルミ板等の金属板、木板あるいは合成樹脂等を使用することができる。
図１５は金属製の固定板１５を使用し、これの中央に広巾部１５ｅと、その両端に狭巾部１５ｆを形成したもので、面状発熱体１０を取付ける際は瓦１の上下に狭巾部１５ｆを配置し、これを瓦１を抱くように屈曲形成したものである。
【００２５】
この固定板１５は図１７に示すような断面を形成し、狭巾部１５ｆを簡単な治具を使用するか、あるいは手作業で曲げることができるようにするのが良い。
また、図１７の固定板１５の変形として、図１８に示すように段付状に形成した広巾部１５ｅと、コ字形に形成した狭巾部１５ｆを併用し、広巾部１５ｅを瓦１と面状発熱体１０の積層体に当てがい、更にこの広巾部１５ｅの端部に狭巾部１５ｆの部材を嵌合して面状発熱体１０等を瓦１の裏面に固定したものである。
【００２６】
なお、この実施の形態においては、固定板１５の両端が瓦１の上下面から露出して水を導入するような部分が発生するので、この固定板１５を使って面状発熱体１０の固定を行なった場合は、雨等の水が瓦１の上面側から下面側より流入して雨漏れの原因となることもあるので、この場合は、下側の狭巾部に小さな孔ｈを明け、この孔ｈより積極的に排水するようにした方が良い。
【００２７】
また、図示していないが、係止部材４としては上部の両面にスリットを入れ、このスリット内に面状発熱体の縁部を支持させるようにしたものや、係止部材４をＴ形あるいはＩ形断面のものに形成し、これと図１２に示すような固定板１５と組合わせて使用するもの等、各種のものを採用することができる。
【００２８】
【発明の効果】
本発明に係る融雪屋根用瓦は、裏面に面状発熱体を固定する瓦であって、この瓦の上部に仮止用長孔を開口し、この長孔は屋根上に仮止めした状態で瓦の下部を持上げて裏面に面状発熱体を取付けることができる程度に融通性を持たせて構成されている。
【００２９】
また、本発明に係る融雪屋根用瓦の敷設方法は、瓦の上部に、この瓦の下部を持ち上げて裏面に面状発熱体を固定することができる程度に屋根上の固定部材との間に融通性を持たせた長孔を開口し、この長孔に固定部材を挿通して複数枚の瓦を屋根上に仮止め状態とし、更にこの瓦の下部を屋根面より離反させて支持部材を利用して開口状態に保持し、この開口状態において帯状の面状発熱体を前記複数枚の瓦の裏面の所定位置に次々と保持させ、電気配線を行なった後に、この瓦を屋根面上の所定の状態に固定する方法である。
【００３０】
従って、複数枚の瓦の下側を大きく屋根面より放した状態で、空間部を形成し、その状態で面状発熱体を容易に挿入し、固定することができるので、融雪屋根の組立て作業を効率的に行うことができる。
【図面の簡単な説明】
【図１】屋根瓦の裏面を示す図である。
【図２】図１の屋根瓦の側面図である。
【図３】屋根瓦の表面を示す図である。
【図４】屋根瓦の上部に開口した長孔とパッキング材とを示す正面図である。
【図５】図４の側断面図である。
【図６】パッキング材の斜視図である。
【図７】屋根瓦の敷設工程を示す側面図である。
【図８】屋根瓦の敷設工程を示す側面図である。
【図９】屋根瓦の敷設工程を示す斜視図である。
【図１０】屋根瓦を敷設した融雪屋根の斜視図である。
【図１１】屋根瓦の裏面に面状発熱体を固定する構造を示す斜視図である。
【図１２】各種の固定板を示す斜視図である。
【図１３】屋根瓦の裏面に面状発熱体を固定する構造を示す斜視図である。
【図１４】固定板の一部を示す斜視図である。
【図１５】屋根瓦の裏面に面状発熱体を固定する構造を示す斜視図である。
【図１６】図１５の横断面図である。
【図１７】固定板の側面図である。
【図１８】別の形式の分解形固定板の側面図である。
【符号の説明】
１  瓦    ２  長孔    ３，３ａ  固定部材用孔    ４  係止部材
５  固定部材（釘等）    ５ａ  孔    ６  パッキング材    ７  屋根
８  横桟    １０  面状発熱体    １１  支持部材    １２  断熱シート
１３  断熱シート    １５  固定板    １５ａ  広巾部    １５ｂ  狭巾部
【図１】
0003761256.tif 000002
【図２】
0003761256.tif 000003
【図３】
0003761256.tif 000004
【図４】
0003761256.tif 000005
【図５】
0003761256.tif 000006
【図６】
0003761256.tif 000007
【図７】
0003761256.tif 000008
【図８】
0003761256.tif 000009
【図９】
0003761256.tif 000010
【図１０】
0003761256.tif 000011
【図１１】
0003761256.tif 000012
【図１２】
0003761256.tif 000013
【図１３】
0003761256.tif 000014
【図１４】
0003761256.tif 000015
【図１５】
0003761256.tif 000016
【図１６】
0003761256.tif 000017
【図１７】
0003761256.tif 000018
【図１８】
0003761256.tif 000019